(57)【特許請求の範囲】
【請求項１】
遊技球を仮保持できる発射口と、
前記遊技球を打ち出すハンマーと、
前記発射口に連通し、かつ、打ち出された前記遊技球を遊技盤の遊技領域に案内する発射通路と、
回動軸部を中心とする略扇形状を有し、前記回動軸部を中心として回動自在に支持されるとともに、前記発射口と前記発射通路とを遮蔽するように配置されたファウル球戻り防止弁と、
前記発射通路に連通し、かつ、前記発射通路から戻ってきたファウル球を回収するファウル球回収口と、を有する発射装置であって、
前記発射口から打ち出された前記遊技球が当接し、跳ね上げられる一方の側面部と、
前記発射通路から戻ってきたファウル球をファウル球回収口へガイドする円弧部と、
残る他方の側面部に沿って前記円弧部から突出するように設けた位置規制突起と、を有する前記ファウル球戻り防止弁と、
動作時に前記位置規制突起に当接し、かつ、自重で復帰できるように前記ファウル球戻り防止弁の位置を規制する第１ストッパと、
復帰時に前記位置規制突起に当接し、かつ、前記発射口と前記発射通路とを遮蔽するように前記ファウル球戻り防止弁の位置を規制する第２ストッパと、を備えたことを特徴とする発射装置。
【請求項２】
請求項１に記載の発射装置を備えたことを特徴とする遊技装置。
【発明の詳細な説明】
【技術分野】
【０００１】
本発明は発射装置、特に、発射口から発射された遊技球がファウル球として発射口に再び戻ることを防止でき、かつ、パチンコ遊技装置に組み込まれる発射装置に関する。
【背景技術】
【０００２】
従来、パチンコ遊技装置の発射装置としては、例えば、発射位置に供給した遊技球を発射装置が遊技領域に向けて発射するように制御するとともに、該遊技領域を経た遊技球を回収し、再び該発射位置に供給して遊技球を循環利用する封入球式遊技機に組み込まれる発射装置がある（特許文献１参照）。
【０００３】
前述の発射装置では、通常、図５Ａに示すように、遊技球４０が発射口２２から発射通路１９を介して遊技盤１１に発射されるが、発射された遊技球４０が発射通路１９を通過できない場合には、前記遊技球４０がファウル球としてファウル球回収口２５で回収される。
【先行技術文献】
【特許文献】
【０００４】
【特許文献１】特開２００９−１０１２２４号公報
【発明の概要】
【発明が解決しようとする課題】
【０００５】
しかしながら、前述の発射装置は、時として、発射された遊技球４０が発射通路１９を通過できずにファウル球として戻り、発射口２２に供給された発射直前の遊技球４０に積み重なってしまうという不具合がある。
特に、封入球式遊技装置では、ファウル球を遊技済み球としてカウント処理してはならないにもかかわらず、カウント処理してしまうので、戻って来たファウル球の球数を遊技済み球数から差し引く必要がある。このため、ファウル球を検出するための検出センサを設置する必要があるとともに、ファウル球数を遊技済み球数から差し引く処理を行うための処理プログラムを必要とする。この結果、検出センサの設置，配線が必要になり、生産コストを増大させるとともに、データ処理が複雑になり、結果として遊技球の発射サイクルが長くなってしまうという問題点がある。
本発明は、前述の問題点に鑑み、内部構造，データ処理が簡単で生産コストの低い発射装置を提供することを課題とする。
【課題を解決するための手段】
【０００６】
本発明に係る発射装置は、前述の課題を解決すべく、
遊技球を仮保持できる発射口と、
前記遊技球を打ち出すハンマーと、
前記発射口に連通し、かつ、打ち出された前記遊技球を遊技盤の遊技領域に案内する発射通路と、
回動軸部を中心とする略扇形状を有し、前記回動軸部を中心として回動自在に支持されるとともに、前記発射口と前記発射通路とを遮蔽するように配置されたファウル球戻り防止弁と、
前記発射通路に連通し、かつ、前記発射通路から戻ってきたファウル球を回収するファウル球回収口と、を有する発射装置であって、
前記発射口から打ち出された前記遊技球が当接し、跳ね上げられる一方の側面部と、
前記発射通路から戻ってきたファウル球をファウル球回収口へガイドする円弧部と、
残る他方の側面部に沿って前記円弧部から突出するように設けた位置規制突起と、を有する前記ファウル球戻り防止弁と、
動作時に前記位置規制突起に当接し、かつ、自重で復帰できるように前記ファウル球戻り防止弁の位置を規制する第１ストッパと、
復帰時に前記位置規制突起に当接し、かつ、前記発射口と前記発射通路とを遮蔽するように前記ファウル球戻り防止弁の位置を規制する第２ストッパと、を備える構成としてある。
【発明の効果】
【０００７】
本発明によれば、ファウル球戻り防止弁が遊技球の発射後に自重で元の位置に復帰し、発射口と発射通路とを遮蔽する。このため、遊技球がファウル球となって戻って来ても、発射口に戻ることなく、ファウル球回収口で回収される。この結果、検出センサ，その配線，処理プログラムが不要となり、生産コストの低い発射装置が得られる。
【０００８】
本発明によれば、ファウル球戻り防止弁が、略扇形状を有している。このため、ファウル球戻り防止弁が略扇形状を有していることにより、遊技球によって跳ね上げられても、自重で元の位置に復帰しやすくなる。
【０００９】
本発明によれば、発射装置に、遊技球に跳ね上げられたファウル球戻り防止弁の位置を規制する第１ストッパを設けてある。このため、ファウル球戻り防止弁が遊技球に跳ね上げられても、回動しすぎることがなく、故障しにくい発射装置が得られる。
【００１０】
本発明によれば、発射装置に、ファウル球戻り防止弁の遮蔽位置を規制する第２ストッパを設けてある。このため、ファウル球戻り防止弁が遮蔽位置に正確に位置規制されることにより、ファウル球の発射口への復帰を確実に防止できる。
【００１１】
本発明に係る遊技装置は、前述の発射装置を備えた遊技装置であってもよい。
本発明によれば、検出センサ，その配線，処理プログラムが不要となり、生産コストの低い遊技装置が得られるという効果がある。
【図面の簡単な説明】
【００１２】
【図１】本発明に係る発射装置を組み込んだ遊技装置の実施形態を示す正面図である
【図２】図１に示す遊技装置の内部構成を示す斜視図である。
【図３】図３Ａ，図３Ｂは図２で示した内部構成の動作前、動作直後を示す部分拡大斜視図である。
【図４】図３に続く動作完了後、動作後を示す斜視図である。
【図５】従来例の正常動作、異常動作を説明するための部分拡大斜視図である。
【発明を実施するための形態】
【００１３】
本発明に係る発射装置を備えた遊技装置の実施形態を図１ないし図４の添付図面に従って説明する。
本実施形態に係る遊技装置は、図１に示すように、封入球式遊技装置１０に適用した場合であり、遊技盤１１の表面を透明なガラス板１２で被覆するとともに、前記透明なガラス板１２の下方側には持ち球表示部１３が配置されている。さらに、前記持ち球表示部１３の下方側には操作パネル１４およびハンドル１５が配置されている。
一方、前記遊技盤１１の中央部には演出表示部１６を配置してあるとともに、前記演出表示部１６の下方側に遊技済み球回収口１７が配置されている。なお、前記封入球式遊技装置１０には台間機１８が隣接するように設置されている。
【００１４】
前記操作パネル１４の後方には、図２に示すように、発射装置２０が配置されている。前記発射装置２０は、図３に示すように、遊技球供給口２１から供給された遊技球４０を発射口２２で仮保持するとともに、前記発射口２２に供給された遊技球数をカウントする一対の遊技球計数センサ２３が設置されている。
【００１５】
また、前記発射装置２０には、発射口２２に供給された遊技球４０を発射するハンマー２４が回動可能に設置されている。
【００１６】
さらに、前記発射装置２０には、前記発射口２２と発射通路１９とを遮蔽するファウル球戻り防止弁３０が回動可能に支持されている。前記ファウル球戻り防止弁３０は、その上端部に突設した位置規制突起３１が、遊技球４０が発射されたときに過剰な回動を規制するための第１ストッパ３２、および、発射口２２と発射通路１９とを遮蔽するための位置規制を行う第２ストッパ３３にそれぞれ係止する構造となっている。そして、前記発射装置２０は、前記ファウル球戻り防止弁３０と隣り合う位置に、前記発射通路１９に連通するファウル球回収口２５を配置してある。
【００１７】
前記遊技済み球回収口１７は、図２に示すように、遊技済み球計数センサ２６を備えた遊技済み球回収通路２７を介し、遊技球供給口２１に連通する遊技球供給通路２８に連通している。また、前記ファウル球回収口２５は、ファウル球数計数センサ３４を備えたファウル球回収通路３５を介し、前記遊技球供給通路２８に連通している。このため、遊技済み球およびファウル球はいずれも発射口２２に遊技球４０として再び供給される。
【００１８】
次に、前述の構成を有する遊技装置の動作について説明する。
動作前は、図３Ａに示すように、遊技球供給口２１から供給された遊技球４０が発射口２２に仮保持されているとともに、ファウル球戻り防止弁３０は、その位置規制突起３１を第２ストッパ３３に係止することにより、発射口２２を遮蔽している。
【００１９】
そして、ハンマー２４が回動して遊技球４０を打ち出すことにより、前記ファウル球戻り防止弁３０が跳ね上がり（図３Ｂ）、遊技球４０が発射通路１９を介して遊技盤１１上に発射され、その直後に、遊技球供給口２１から新しい遊技球４０が供給される（図４Ａ）。このとき、ファウル球戻り防止弁３０は、その位置規制突起３１が第１ストッパ３２に係止し、位置規制された後、自重で元の位置に復帰する。
【００２０】
そして、遊技球４０が発射通路１９を通過できずにファウル球となった場合には、前記ファウル球戻り防止弁３０が既に元の位置に復帰しているので（図４Ｂ）、ファウル球はファウル球戻り防止弁３０に衝突した後、ファウル球回収口２５に入る。このため、ファウル球となった遊技球４０はファウル球回収通路３５を通過し、ファウル球数計数センサ３４でカウントされた後、遊技球供給通路２８を介して再び、遊技球供給口２１から発射口２２に供給される。この結果、ファウル球は遊技済み球として処理されず、遊技者の持ち球数はファウル球の発生によって減少することはない。
【００２１】
以上の説明から明らかなように、ファウル球が発生しても発射口２２に戻らず、複数の遊技球を誤って発射することを未然に防止できる。
また、ファウル球数計数センサ３４によって検出されたファウル球を発射口２２に供給する前にカウントし、遊技済み球数から差し引くことにより、遊技者の持ち球数を適正に管理できるという利点がある。
【産業上の利用可能性】
【００２２】
本発明に係る発射装置を組み込む遊技装置は、パチンコ遊技装置に限らず、他の遊技装置にも適用できることは勿論である。
【符号の説明】
【００２３】
１０：封入球式遊技装置
１１：遊技盤
１４：操作パネル
１５：ハンドル
１７：遊技済み球回収口
１９：発射通路
２０：発射装置
２１：遊技球供給口
２２：発射口
２３：遊技球計数センサ
２４：ハンマー
２５：ファウル球回収口
２６：遊技済み球計数センサ
２７：遊技済み球回収通路
２８：遊技球供給通路
３０：ファウル球戻り防止弁
３１：位置規制突起
３２：第１ストッパ
３３：第２ストッパ
３４：ファウル球数計数センサ
３５：ファウル球回収通路
４０：遊技球
【図１】
0005948782.tif 000002
【図２】
0005948782.tif 000003
【図３】
0005948782.tif 000004
【図４】
0005948782.tif 000005
【図５】
0005948782.tif 000006